(57)【要約】      （修正有）【課題】シンクに仮置き出来るキッチンツールホルダーを提供する。【解決手段】水平なキッチン台に対して垂直な背面部３と、背面部３の下端から正面方向に接続した土台１と、背面部３の上端から正面方向に接続した屋根２を有し、キッチンツールを支持し挿抜する空間となり、土台１と屋根２と背面部３は、一体的に構成するキッチンツールホルダー１００であり、土台上面と屋根下面の間に、背面方向から正面方向に開放した開口部７が形成され、開口部７が背面方向から正面方向に広がり、土台上面が背面方向から正面方向に高くなる様に傾斜している。【選択図】図１
2020108755.tif 000002
【特許請求の範囲】
【請求項１】
水平なキッチン台に置く第一支持部と、前記第一支持部をシンクの縁に置く状態において、前記第一支持部の上方に位置する第二支持部を有し、前記第一支持部と前記第二支持部との間でキッチンツールを支持する様になっており、キッチンツールを挿抜する空間の寸法が、背面方向から正面方向に拡大する様に構成している事を特徴とするキッチンツールホルダー。
【請求項２】
水平なキッチン台に対して垂直な背面部と、前記第一支持部として機能する前記背面部の下端から正面方向に接続した土台と、前記第二支持部として機能する前記背面部の上端から正面方向に接続した屋根を有し、キッチンツールを支持し挿抜する空間となり、前記土台と前記屋根と前記背面部は、一体的に構成するものであり、前記土台上面と前記屋根下面の間に、背面方向から正面方向に開放した開口部が形成され、開口部は側面方向を外部に開放しており、前記土台上面と前記屋根下面の間の開口部が背面方向から正面方向に広がっている事を特徴とする請求項１に記載のキッチンツールホルダー。
【請求項３】
前記土台上面が背面方向から正面方向に高くなる様に傾斜している事を特徴とする請求項１、又は２に記載のキッチンツールホルダー。
【請求項４】
前記土台上面と前記屋根下面に背面方向から正面方向に溝をつけている事を特徴とする請求項１〜３のいずれか一項に記載のキッチンツールホルダー。
【請求項５】
全体の重さは３００グラム以上１キログラム以下にしている事を特徴とする請求項１〜４のいずれか一項に記載のキッチンツールホルダー。
【請求項６】
水平なキッチン台のシンクの縁に置く状態において、前記土台の底とシンクの縁との間にすき間を形成している事を特徴とする請求項１〜５のいずれか一項に記載のキッチンツールホルダー。
【請求項７】
前記屋根上面に背面方向から正面方向に溝をつけている事を特徴とする請求項１〜６のいずれか一項に記載のキッチンツールホルダー。
【請求項８】
前記土台側面の長さと前記屋根側面の長さでは、前記屋根側面の長さを１センチ短くしている事を特徴とする請求項１〜７のいずれか一項に記載のキッチンツールホルダー。
【発明の詳細な説明】
【技術分野】
【０００１】
本発明はシンクの縁に使いかけのキッチンツールを衛生的に仮置きが出来るように工夫した置き型のキッチンツールホルダーに関するものである。
【背景技術】
【０００２】
従来、菜箸、お玉置きは、器状だったり（特許文献１参照）、鍋やどこかに置けるものだったり（特許文献２参照）、どこかに固定するものだったり（特許文献３参照）、パーツが多く複雑なものだった（特許文献４参照)。
【先行技術文献】
【特許文献】
【０００３】
【特許文献１】特開２００７−１３５７４１号公報
【特許文献２】実登３０８２７０６号公報
【特許文献３】実登３０９３６９６号公報
【特許文献４】実登３１５８７２４号公報
【発明の概要】
【発明が解決しようとする課題】
【０００４】
これは、次のような欠点があった。
（イ）器状の菜箸、お玉置きは、それ自体を使用後に洗う必要があった。
鍋やどこかに菜箸お玉を置ける物は、露垂れが起きた場合は掃除する必要があった。
（ロ）どこかに吸盤等で固定する物は、本体が汚れた場合に直ぐに洗えず、シンク内の側面に吸盤で固定する物は、水気の多いシンク内ではカビが発生しやすく、邪魔な時に直ぐ移動できなかった。
（ハ）パーツが多く複雑な物は、洗いにくかった。
本発明は、以上のような欠点をなくすためになされたものである。
【課題を解決するための手段】
【０００５】
１．本発明のキッチンツールホルダーは、水平なキッチン台に置く第一支持部と、前記第一支持部をシンクの縁に置く状態において、前記第一支持部の上方に位置する第二支持部を有し、前記第一支持部と前記第二支持部との間でキッチンツールを支持する様になっており、キッチンツールを挿抜する空間の寸法が、背面方向から正面方向に拡大する様に構成している事を特徴とする。
２．水平なキッチン台に対して垂直な背面部と、前記第一支持部として機能する前記背面部の下端から正面方向に接続した土台と、前記第二支持部として機能する前記背面部の上端から正面方向に接続した屋根を有し、キッチンツールを支持し挿抜する空間となり、前記土台と前記屋根と前記背面部は、一体的に構成するものであり、前記土台上面と前記屋根下面の間に、背面方向から正面方向に開放した開口部が形成され、開口部は側面方向を外部に開放しており、前記土台上面と前記屋根下面の間の開口部が背面方向から正面方向に広がっている事を特徴とする。
３．前記土台上面が背面方向から正面方向に高くなる様に傾斜している事を特徴とする。
４．前記土台上面と前記屋根下面に背面方向から正面方向に溝をつけている事を特徴とする。
５．全体の重さは３００グラム以上１キログラム以下にしている事を特徴とする。
６．水平なキッチン台のシンクの縁に置く状態において、前記土台の底とシンクの縁との間にすき間を形成している事を特徴とする。
７．前記屋根上面に背面方向から正面方向に溝をつけている事を特徴とする。
８．前記土台側面の長さと前記屋根側面の長さでは、前記屋根側面の長さを１センチ短くしている事を特徴とする。
【発明の効果】
【０００６】
（イ）菜箸、お玉の先端は、シンク内に飛び出しておけば、露垂れした場合でもシンク内だけを洗えば良い。
（ロ）吸盤等で固定していないので、本体が汚れた場合は直ぐに洗え、邪魔な時は直ぐに移動できる。                                                        
（ハ）シンプルな構造で洗いやすく、乱雑しがちなキッチンで見た目にも邪魔にならない。                                                                          
【図面の簡単な説明】
【０００７】
【図１】本発明の斜視図である。
【図２】本発明の正面図である。
【図３】本発明の使用状態を示した側面図である。
【図４】本発明の背面図である。
【図５】本発明の底面図である。
【図６】本発明の図７における開口部奥を示したＸＸ断面図である。
【図７】本発明の側面の詳細な図である。
【図８−１】本発明の使用状態とサイズ展開を示した写真である。
【図８−２】本発明の使用状態とサイズ展開を示した写真である。
【図９】本発明の請求項１だけの内容で考えられるバリエーションの一例の図である。
【発明を実施するための形態】
【０００８】
以下、本発明の実施の形態について説明する。
図１、３が示すように、水平なキッチン台に対して垂直な背面部３と、前記背面部３の下端から正面方向に接続した土台１と、前記背面部３の上端から正面方向に接続した屋根２を有し、キッチンツールを支持し挿抜する空間となり、土台１と屋根２と前記背面部３は、一体的に構成するものであり、土台上面１１（例えば６．５センチ）と屋根下面１３（例えば６センチ）の間に、背面方向から正面方向に開放した開口部７が形成され、開口部７は側面方向を外部に開放しており、土台上面１１と屋根下面１３の間の開口部７が背面方向から正面方向に広がり、土台上面１１が背面方向から正面方向に高くなる様に傾斜し、土台上面１１と屋根下面１３に背面方向から正面方向に溝ａ５をつけ、全体の重さは（例えば３００グラム）以上（例えば１キログラム）以下にし、水平なキッチン台のシンクの縁に置く状態において、土台１の底とシンクの縁との間にすき間８を形成し、屋根上面１４（例えば６．３センチ）に背面方向から正面方向に溝ｂ６をつけ、土台側面の長さ９（例えば８センチ）と屋根側面に長さ１０（例えば７センチ）では、屋根側面の長さ１０を（例えば１センチ）短くしたことを特徴とするキッチンツールホルダー１００である。（この文章において、調理に使用する持ち手、柄のある物をキッチンツールと定義する。また、説明で用いる寸法の具体的な数値は、あくまでも一例でありその数値に限定されるものでは無い。）                                                            
【０００９】
さらに詳しく説明をすると、図１、３が示すように、土台１と屋根２と前記背面部３が、一体的に構成するものであり、土台上面１１と屋根下面１３の間に、背面方向から正面方向に開放した開口部７が形成され、開口部７は側面方向を外部に開放している為、洗い易い。
【００１０】
図３が示すように、土台上面１１と屋根下面１３の間の開口部７が背面方向から正面方向に広がっている、そうすると土台上面溝の一番低い位置２０の先端の高さＦ（例えば２センチ）の箇所を支点として、柄の細いキッチンツールの持ち手側の後部は背面方向の狭い箇所で屋根下面１３と接し、柄の太いキッチンツールの持ち手側の後部は正面方向の広い開口部７で屋根下面１３と接する。                                              
【００１１】
図３、６、７が示すように、土台上面１１と屋根下面１３の間の開口部奥１２に、縦方向に平らな面が有り洗い易い。そこは、溝ａ５のカーブがある為、縦方向に狭い箇所Ａで（例えば０．５センチ）、広い箇所Ｂで（例えば１．７センチ）開いている。もし土台上面１１が背面方向から正面方向に平だとすると、土台上面１１と屋根下面１３の開口部奥１２でホールドした細いキッチンツールは、広い箇所Ｂの（例えば１．７センチ）の位置で持ち手側の後部が持ち上がり、キッチンツールの先は土台上面溝の一番低い位置２０の先端を支点として、重力で下がり過ぎてしまう為、キッチンツールを水平にホールドする為に土台上面１１の背面方向から正面方向に土台が高くなる様に傾斜している。その高さは、細いキッチンツールを幅（例えば０．６センチ）と仮定して、開口部奥１２の屋根下面溝の一番高い位置１９の高さＥ（例えば２．６センチ）から（例えば０．６センチ）下げた位置が、土台上面溝の一番低い位置２０の先端の高さＦ（例えば２センチ）になる様に設定している。
【００１２】
図７が示すように、屋根下面１３の背面方向から正面方向への傾斜Ｈは（例えば２２度）と設定している。これはキッチンツールホルダー１００を陶磁器で作ると仮定し、重さ（例えば１００グラム）以下、柄の長さ（例えば１５センチ）から（例えば２５センチ）のキッチンツールで、材質が合成ゴム、金属、木、合成樹脂の中で一番滑りやすい金属が傾斜（例えば２５度）以上で滑り始め落下する為、傾斜（例えば２４度）以下なら滑らないという条件になる。この条件内で、土台上面溝の一番低い位置２０の先端の高さＦは既に決まっている為、そこから屋根下面溝の一番高い位置１９の先端との距離Ｇが（例えば３センチ）となる位置で、屋根側面の長さ１０を設定し、その角度が条件内の傾斜Ｈ（例えば２２度）となった。土台上面溝の一番低い位置２０の先端と屋根下面溝の一番高い位置１９の先端との距離Ｇを（例えば３センチ）としたのは、最大と仮定する直径（例えば２センチ）のキッチンツールが、土台上面１１と屋根下面１３の背面方向から正面方向に広がる開口部７から挿抜し、ホールド出来る寸法な為である。
【００１３】
図２、３が示すように、土台上面１１と屋根下面１３と屋根上面１４に背面方向から正面方向に溝ａ５、溝ｂ６がある為、キッチンツールの収まりが良い。
図２、３、８−１、８−２が示すように、土台上面１１と屋根下面１３の間の背面方向から正面方向に広がった開口部７にキッチンツールを２つホールド出来る構造の場合は、屋根上面１４に溝ｂ６が３箇所のＭサイズ２１（８−１参照）、前記開口部７にキッチンツールを１つホールド出来る構造の場合は、屋根上面１４に溝ｂ６が２箇所のＳサイズ２２となる（８−２参照）。仮にこの前記開口部７にキッチンツールを３つホールドすると、真ん中のキッチンツールは取りにくい為、この２パターンが本体の大きさと使い易さを考えると良い。
【００１４】
図２、８−１、８−２が示すように、前記開口部７に（例えば１００グラム）以下のキッチンツールを２つホールド出来る構造のＭサイズ２１の場合は（８−１参照）、本体を支える為に（例えば６００グラム）以上、前記開口部７に（例えば１００グラム）以下のキッチンツールを１つホールド出来る構造のＳサイズ２２の場合は（８−２参照）、本体を支える為に（例えば３００グラム）以上にする必要がある。その為に材質は、密度の高い陶磁器、金属、合成ゴム、ポリストーン（石の粉と樹脂の混合）等が考えられる。
図６、７、８−１が示すように、仮に陶磁器でＭサイズの寸法、キッチンツールホルダー１００の高さＣ（例えば６センチ）、キッチンツールホルダー１００のＭサイズの横幅Ｄ（例えば１１センチ）、で作ると（例えば、８１１グラム）となる。（８−１参照）
吸盤等で固定する必要が無く安定する重さが有り、キッチンツールホルダー１００が汚れた場合は直ぐに洗え、邪魔な時は直ぐに移動できる為に重さは（例えば１キログラム）以下が良い。        
【００１５】
図２、５が示すように、土台１の底は水平なキッチン台に置く状態において正面４から見ると、足１８以外の場所が（例えば０〜０．５センチ）のアーチ状のすき間８になっている。
キッチンツールホルダー１００を合成ゴム以外で作る場合、土台１の底面の足１８に本体が滑らず安定し、移動した時の衝撃から守る為に合成ゴム等のストッパーを付ける。    
【００１６】
図３が示すように、土台側面の長さ９と屋根側面の長さ１０では、屋根側面の長さ１０の方を（例えば1センチ）短くしてあり、前記開口部７からキッチンツールが入れ易い。
その差を（例えば１センチ）としたのは、屋根上面１４に菜箸（例えば３０センチ）を置いた時に（例えば６センチ）以上あった方が安定する事と、屋根下面１３の長さは、色々なサイズのキッチンツールをホールドする為に必要なので、その距離を確保できる最低限の入れ易い寸法に設定している。
【００１７】
図９が示すように、これは請求項１だけの内容で考えられるバリエーションの一例の図である。水平なキッチン台に置く第一支持部２３と、前記第一支持部２３をシンクの縁に置く状態において、前記第一支持部２３の上方に位置する第二支持部２４を有し、前記第一支持部２３と前記第二支持２４との間でキッチンツールを支持する様になっており、キッチンツールを挿抜する空間の寸法が、背面方向から正面方向に拡大する様に構成している。このバリエーションの場合、第一支持部２３は背面方向から正面方向に傾斜が無く平でも良く、細いキッチンツールは背面方向に抜ける事も出来る。アーチ形状の部分は、例えば構成部材を折り曲げたり、湾曲した物でも良く、それが背面方向から正面方向に拡大する事で、キッチンツールの細い物から太い物まで支持し、挿抜する事が出来る。
本発明は以上のような構造である。
【００１８】
本発明を使うときは、図３、７が示すように、土台上面１１と屋根下面１３の間の前記開口部７には、柄の太さ直径（例えば２センチ）以下、柄の長さ（例えば１５センチ）から（例えば２５センチ）程度のお玉１６（キッチンツール）がホールド出来る。
土台上面溝の一番低い位置２０の先端の高さＦの箇所に沿わせてキッチンツールを水平に差し込み、最初に屋根下面１３に接した位置が水平にホールドする位置となる。キッチンツールの先は水平より上でホールドする事も出来るが、この場合はキッチンツールの柄の持ち手側の後方に液垂れの可能性がある。またキッチンツールの先は水平より下でホールドする事も出来るが、この場合はキッチンツールが滑り落ちる可能性がある為、水平でホールドした方が良い。
その他トング、キッチンバサミ、包丁等の厚み（例えば１．５センチ）以下のキッチンツールもホールドする事が出来る。
【００１９】
図２、３が示すように、屋根上面１４の溝ｂ６には、箸１５は（例えば２０センチ）から、菜箸は（例えば３０センチ）程度の物が簡易的に置ける。
屋根上面１４の溝ｂ６と、土台上面１１と屋根下面１３の間の開口部７にある溝ａ５の位置がずれている為、屋根上面１４の溝ｂ６に置いた菜箸の露垂れの影響は、開口部７にある溝ａ５にホールドしたキッチンツールにはない。
【００２０】
図１、２、３が示すように、土台１の底は水平なキッチン台のシンクの縁に置く状態において、すき間８に柄の厚み（例えば０．５センチ）以下、柄の長さ（例えば１５センチ）以下のスプーン１７やバターナイフ等が挿抜し易く、アーチ状のすき間８の厚みの合う場所、上からの露垂れの影響の無い場所を選んでホールドすれば良い。
【００２１】
図８−１、８−２が示すように、シンクの縁にキッチンツールホルダー１００を置き、キッチンツールの先をシンクから飛び出させた部分は、どこにも触れず衛生的である。  
一旦調理した物、たれを調合した物、下味をつけた物は蓋をして冷蔵庫にしまいたいので、何品も料理を作ろうとするとキッチンツール等を複数使用する。それを時間差で提供する場合に繰り返し使用すれば良い。
コーヒー、紅茶に砂糖を入れて混ぜたスプーンや、パンにジャムをのせたバターナイフ、ごはんに瓶鮭をのせたスプーン等を、再度使うか判断できない時は、一旦すき間８にホールドしておけば良い。                                                        
食材を沢山カットしてまな板にスペースが無くなった時、置き場所に困る包丁をホールドしても良い。
また、キッチン以外でも洗面台や靴を洗った柄付きブラシの水切りに使用しても良い。  
【００２２】
以下、主要な数値である。
図３が示すように、土台側面の長さ９（例えば８センチ）、屋根側面の長さ１０（例えば７センチ）、土台上面１１（例えば６．５センチ）、屋根下面１３（例えば６センチ）、屋根上面１４（例えば６．３センチ）。
図６、７が示すように、開口部奥１２の縦方向に狭い箇所Ａ（例えば０．５センチ）、開口部奥１２の縦方向に広い箇所Ｂ（例えば１．７センチ）、キッチンツールホルダー１００の高さＣ（例えば６センチ）、キッチンツールホルダー１００のＭサイズの横幅Ｄ（例えば１１センチ）。
図７が示すように、開口部奥１２の屋根下面溝の一番高い位置１９の高さＥ（例えば２．６センチ）、土台上面溝の一番低い位置２０の先端の高さＦ（例えば２センチ）、土台上面溝の一番低い位置２０の先端と屋根下面溝の一番高い位置１９の先端との距離Ｇ（例えば３センチ）、屋根下面１３の背面方向から正面方向への傾斜Ｈ（例えば２２度）。                                                                                                                                                    
【符号の説明】
【００２３】
１  土台
２  屋根
３  背面部
４  正面                                                                        ５  溝ａ
６  溝ｂ
７  開口部
８  すき間
９  土台側面の長さ
１０  屋根側面の長さ
１１  土台上面
１２  開口部奥
１３  屋根下面
１４  屋根上面
１５  箸                                                                        １６  お玉      
１７  スプーン
１８  足
１９  屋根下面溝の一番高い位置
２０  土台上面溝の一番低い位置
２１  Ｍサイズ
２２  Ｓサイズ
２３  第一支持部
２４  第二支持部                                                                １００  キッチンツールホルダー
Ａ  開口部奥１２の縦方向に狭い箇所
Ｂ  開口部奥１２の縦方向に広い箇所
Ｃ  キッチンツールホルダー１００の高さ
Ｄ  キッチンツールホルダー１００のＭサイズの横幅
Ｅ  開口部奥１２の屋根下面溝の一番高い位置１９の高さ                            Ｆ  土台上面溝の一番低い位置２０の先端の高さ                                    Ｇ  土台上面溝の一番低い位置２０の先端と屋根下面溝の一番高い位置１９の先端との距離
Ｈ  屋根下面１３の背面方向から正面方向への傾斜
【図１】
2020108755.tif 000003
【図２】
2020108755.tif 000004
【図３】
2020108755.tif 000005
【図４】
2020108755.tif 000006
【図５】
2020108755.tif 000007
【図６】
2020108755.tif 000008
【図７】
2020108755.tif 000009
【図８−１】
2020108755.tif 000010
【図８−２】
2020108755.tif 000011
【図９】
2020108755.tif 000012
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
水平なキッチン台に置く第一支持部と、前記第一支持部をシンクの縁に置く状態において、前記第一支持部の上方に位置する第二支持部を有し、前記第一支持部と前記第二支持部との間でキッチンツールの持ち手部分を支持し、
前記第一支持部と前記第二支持部との間で前記キッチンツールが支持された状態において、前記キッチンツールの前記持ち手部分とは反対側の先端が前記シンク内に飛び出す様になっており、
キッチンツールを挿抜する空間の寸法が、背面方向から正面方向に拡大する様に構成している事を特徴とするキッチンツールホルダー。
【請求項２】
水平なキッチン台に対して垂直な背面部と、前記第一支持部として機能する前記背面部の下端から正面方向に接続した土台と、前記第二支持部として機能する前記背面部の上端から正面方向に接続した屋根を有し、キッチンツールを支持し挿抜する空間となり、前記土台と前記屋根と前記背面部は、一体的に構成するものであり、前記土台上面と前記屋根下面の間に、背面方向から正面方向に開放した開口部が形成され、開口部は側面方向を外部に開放しており、前記土台上面と前記屋根下面の間の開口部が背面方向から正面方向に広がっている事を特徴とする請求項１に記載のキッチンツールホルダー。
【請求項３】
前記土台上面が背面方向から正面方向に高くなる様に傾斜している事を特徴とする請求項２に記載のキッチンツールホルダー。
【請求項４】
前記土台上面と前記屋根下面に背面方向から正面方向に溝をつけている事を特徴とする請求項２又は３に記載のキッチンツールホルダー。
【請求項５】
全体の重さは３００グラム以上１キログラム以下にしている事を特徴とする請求項１〜４のいずれか一項に記載のキッチンツールホルダー。
【請求項６】
水平なキッチン台のシンクの縁に置く状態において、前記土台の底とシンクの縁との間にすき間を形成している事を特徴とする請求項２〜５のいずれか一項に記載のキッチンツールホルダー。
【請求項７】
前記屋根上面に背面方向から正面方向に溝をつけている事を特徴とする請求項２〜６のいずれか一項に記載のキッチンツールホルダー。
【請求項８】
前記土台側面の長さと前記屋根側面の長さでは、前記屋根側面の長さを１センチ短くしている事を特徴とする請求項２〜７のいずれか一項に記載のキッチンツールホルダー。